(57)【特許請求の範囲】
【請求項１】
一方面側及び他方面側に夫々平面から見て対角距離をＬとする正六角形の輪郭線に沿う６つの辺部を有したセルが多数連続形成され、上記一方面側のセルの中心点と他方面側のセルの中心点とが対角方向に互いに（１／２）Ｌ位相をずらせて配置された関係にある樹脂製の養蜂用巣礎において、
上記各セルを、上記正六角形の輪郭線に沿って設けられ隣接するセルと共用されるとともに上記６つの辺部に対応する６つのフレーム単体からなるフレームと、該フレームに連続する底部とを備えて構成し、上記一方面側のセルの底部を上記他方面側の３つのフレーム単体で構成し、上記他方面側のセルの底部を上記一方面側の３つのフレーム単体で構成し、該各セルの底部に平面から見て菱形状になる３つの貫通孔を形成し、
上記各セルの底部を構成するフレーム単体の裏面側を該セルの中心点に向けて下向きに傾斜形成し、
上記フレーム単体の裏面側の傾斜角度θを、１５°≦θ≦３５°に設定し、
上記各セルの底部を構成するフレーム単体を該セルの中心点に向けて漸次細くなるように形成し、
上記フレーム単体の裏面を左右対称の横断面Ｖ字状に形成し、
上記フレーム単体を、表面側に上記正六角形の輪郭線に沿う頂部を有する横断面山形状に形成し、上記一方面側の各セルを構成するフレーム単体の頂部を該一方面に対して面一に形成し、上記他方面側の各セルを構成するフレーム単体の頂部を該他方面に対して面一に形成したことを特徴とする養蜂用巣礎。
【請求項２】
樹脂材料としてポリカーボネートを用いたことを特徴とする請求項１記載の養蜂用巣礎。
【請求項３】
巣礎を列設した巣箱を所要エリアに複数設置して養蜂する養蜂方法において、
上記請求項１または２何れかに記載の養蜂用巣礎であって、上記隣接するセルの中心点間の距離Ｄを、４．７ｍｍ≦Ｄ＜５．４ｍｍに設定した働蜂用巣礎と、上記隣接するセルの中心点間の距離Ｄを、５．４ｍｍ≦Ｄ≦６．７ｍｍに設定した雄蜂用巣礎とを用い、働蜂用巣礎に対して雄蜂用巣礎を所定割合混在させたことを特徴とする養蜂方法。
【発明の詳細な説明】
【技術分野】
【０００１】
本発明は、養蜂に用いられ蜜蜂が巣を作り易いように人工的に作成した養蜂用巣礎に係り、特に、幼虫の育成環境の向上を図った養蜂用巣礎及び養蜂方法に関する。
【背景技術】
【０００２】
従来、この種の養蜂用巣礎としては、例えば、特開昭５８−８６０２９号公報（特許文献１）に掲載されたものが知られている。図８に示すように、この養蜂用巣礎Ｓａは、樹脂製であり、一方面１０１側及び他方面１０２側に夫々平面から見て対角距離をＬとする正六角形の輪郭線１０３（１点鎖線）に沿う６つの辺部１０４を有したセル１００が多数連続形成され、一方面１０１側のセル１００の中心点Ｐ（Ａ）と他方面１０２側のセル１００の中心点Ｐ（Ｂ）とが対角方向に互いに（１／２）Ｌ位相をずらせて配置された関係で形成されている。各セル１００は、正六角形の輪郭線１０３に沿って設けられ隣接するセル１００と共用されるとともに６つの辺部１０４に対応するリブ１０５と、このリブ１０５に連続し中心に向けて下に傾斜した平板状の底壁１０６とを備えて構成されている。そして、使用するときは、この養蜂用巣礎Ｓａを蜜蝋Ｒに浸漬し、その表面に蜜蝋Ｒの被膜７を形成し、これを、巣箱に列設して、養蜂に供する。
また、従来においては、例えば、実開昭５４−１３２６７７号公報（特許文献２）に掲載されたものも知られている。図９に示すように、この養蜂用巣礎Ｓｂは、上記とほぼ同様に形成されるが、リブは設けられていない。また、底壁１０６に小孔１０８を設けて蜜蝋Ｒが表裏で連結されるようにしている。
【先行技術文献】
【特許文献】
【０００３】
【特許文献１】特開昭５８−８６０２９号公報
【特許文献２】実開昭５４−１３２６７７号公報
【発明の概要】
【発明が解決しようとする課題】
【０００４】
しかしながら、上記前者の養蜂用巣礎Ｓａにあっては、底壁１０６が平板状なので、蜜蝋Ｒを被覆すると底壁１０６が厚くなり、その分、蜜蝋Ｒの使用量が増えるという問題があった。また、幼虫の成長段階では、幼虫同士が表裏の間で幼虫の音や振動、熱を伝えて、互いに成長を促進させると考えられており、この点、自然に形成される巣では、この底壁が薄くなっており成長促進機能が高いものの、この従来技術では、底壁１０６が厚くなるので、幼虫の成長促進機能に劣るという問題があった。
一方、後者の養蜂用巣礎Ｓｂにあっては、底壁１０６に小孔１０８を設けて蜜蝋Ｒが表裏で連結されるようにしており、連結強度は向上するものの、小孔１０８は小さいことから、上記前者の巣礎と同様に、結局は、蜜蝋の層が厚くなり、底壁１０６が厚くなるので、蜜蝋の使用量が増え、また、幼虫の成長促進機能に劣るという問題があった。
【０００５】
また、上記従来の巣礎を用いた養蜂方法においては、養蜂現場で現在深刻な蜂不足の一因となっているミツバチヘギイタダニへの対応ができにくいという問題もある。
一般に、西洋ミツバチの巣には１個体の女王蜂とその女王蜂の産卵する受精卵から雌の働蜂が、未受精卵から雄蜂が生まれる。女王蜂はハニカムの大きさによって、雄と雌の働蜂を産み分ける習性がある。自然巣において雄蜂のハニカムのセル幅は５．５ｍｍから６．５ｍｍと大型であるのに対し、働蜂のものは５．０ｍｍから５．４ｍｍと小型であることが知られている。しかしながら、実際に蜜を集めてくる働蜂が雌のみであることから、養蜂にはセル幅が約５．３ｍｍの小型の巣礎が使用されている。よって、雄蜂が必要となる場合には、巣礎からはみ出した枠部分に雄用の大型ハニカムが形成される。通常の養蜂に使用される巣箱には２０枚の巣礎（巣板）が入れられており、これら巣礎から形成される巣（巣脾）のうち、巣礎枠部分のあちらこちらに雄用の大型なハニカムがランダムに作られることとなる。
【０００６】
ところで、上記のミツバチヘギイタダニは、雄蜂に集中して寄生する傾向がある。そのため、巣礎のあちらこちらに雄用の大型ハニカムが形成されると、その部分で最初にダニが増殖し、その周辺にある働蜂用ハニカムにダニが蔓延して、巣箱全体へのダニ寄生が起りやすくなると考えられる。このため、従来においては、このダニへの対応ができにくくなっているのである。
尚、上記前者の特許文献１には、雄蜂用巣房として、日本蜜蜂ではセルの口径が５．４ｍｍのもの、イタリア種では６．５ｍｍのものの紹介があるが、雄蜂用の巣房は、主に、蜂の子の生産用のものである。
【０００７】
本発明は上記の問題点に鑑みて為されたもので、セルの底部をできるだけ薄く形成できるようにして、蜜蝋の使用量を減らすことができるようにし、幼虫同士が表裏の間で幼虫の音や振動、熱を伝えて、互いに成長を促進させることのできる成長促進機能の向上を図った養蜂用巣礎を提供することを目的とする。
また、成長促進機能の向上を図ることに加えて、ダニの除去を容易にして、特に、働蜂の成長保護も図ることができる養蜂方法を提供することを目的とする。
【課題を解決するための手段】
【０００８】
このような目的を達成するための本発明の養蜂用巣礎は、一方面側及び他方面側に夫々平面から見て対角距離をＬとする正六角形の輪郭線に沿う６つの辺部を有したセルが多数連続形成され、上記一方面側のセルの中心点と他方面側のセルの中心点とが対角方向に互いに（１／２）Ｌ位相をずらせて配置された関係にある樹脂製の養蜂用巣礎において、
上記各セルを、上記正六角形の輪郭線に沿って設けられ隣接するセルと共用されるとともに上記６つの辺部に対応する６つのフレーム単体からなるフレームと、該フレームに連続する底部とを備えて構成し、上記一方面側のセルの底部を上記他方面側の３つのフレーム単体で構成し、上記他方面側のセルの底部を上記一方面側の３つのフレーム単体で構成し、該各セルの底部に平面から見て菱形状になる３つの貫通孔を形成し、上記各セルの底部を構成するフレーム単体の裏面側を該セルの中心点に向けて下向きに傾斜形成した構成としている。この場合、フレーム単体の幅ｅは、蜜蜂の種類によっても異なるが、０．５ｍｍ≦ｅ≦２ｍｍの範囲に設定することが望ましい。セルの開口を適正にすることができる。
【０００９】
これにより、この巣礎を用いるときは、予め、この巣礎を溶融した蜜蝋に浸漬して引き上げ、徐冷して蜜蝋を固化させる。この場合、各セルの底部に平面から見て３つの菱形状の貫通孔が形成されているので、蜜蝋はこの貫通孔に膜として張設される。貫通孔は菱形で大きいが、膜になるので、それだけ、蜜蝋の使用量を減らすことができる。
また、この巣礎を用いて養蜂を行うと、蜜蜂はこの巣礎に巣脾を形成して産卵し、幼虫を育成させる。この場合、菱形形状の大きな貫通孔に蜜蝋の膜が形成され、底部のほとんどが蜜蝋の膜で形成されることから、極めて薄いごく自然のものに近い底部を形成する。そのため、幼虫同士が表裏の間で幼虫の音や振動、熱を伝えて、互いに成長を促進させることができる。更に、底部は中心に向けて傾斜しているので、自然の巣に極めて近くなり、この点でも、幼虫の成長の促進を図ることができる。
【００１０】
そして、本発明は、上記フレーム単体の裏面側の傾斜角度θを、１５°≦θ≦３５°に設定した構成としている。望ましくは、２０°≦θ≦３０°である。これにより、より一層自然の巣に近いものにすることができ、成長促進機能の向上を図ることができる。
また、本発明は、上記各セルの底部を構成するフレーム単体を該セルの中心点に向けて漸次細くなるように形成した構成としている。セルの底部を構成するフレーム単体の基端部が太くなることから構造上の強度が向上する。また、中心点に向けて細くなる分、蜜蝋の膜の面積が増えるので、より一層、自然の巣に近くすることができる。
【００１１】
更に、本発明は、上記フレーム単体の裏面を左右対称の横断面Ｖ字状に形成した構成としている。フレーム単体の側縁が鋭角になるので、貫通孔に張設される蜜蝋の厚さをより一層薄く形成することができる。
更にまた、本発明は、上記フレーム単体を、表面側に上記正六角形の輪郭線に沿う頂部を有する横断面山形状に形成し、上記一方面側の各セルを構成するフレーム単体の頂部を該一方面に対して面一に形成し、上記他方面側の各セルを構成するフレーム単体の頂部を該他方面に対して面一に形成した構成としている。山形状なので、蜜蜂がその頂部から巣脾を作り易くすることができる。
【００１２】
また、必要に応じ、樹脂材料としてポリカーボネートを用いた構成としている。ポリカーボネートは、耐熱性、耐衝撃性に優れているので、例えば熱湯等で熱処理しながら巣や蜜蝋を除去しても、損傷しにくく、再利用することができるようになる。特に、ダニが発生した巣を熱処理する際には有効である。
【００１３】
そしてまた、本発明の養蜂方法は、巣礎を列設した巣箱を所要エリアに複数設置して養蜂する養蜂方法において、上記の養蜂用巣礎であって、上記隣接するセルの中心点間の距離Ｄを、４．７ｍｍ≦Ｄ＜５．４ｍｍに設定した働蜂用巣礎と、上記隣接するセルの中心点間の距離Ｄを、５．４ｍｍ≦Ｄ≦６．７ｍｍに設定した雄蜂用巣礎とを用い、働蜂用巣礎に対して雄蜂用巣礎を所定割合混在させた構成としている。働蜂用巣礎においては、望ましくは、４．９ｍｍ≦Ｄ≦５．２ｍｍである。また、雄蜂用巣礎においては、６．４ｍｍ≦Ｄ≦６．６ｍｍにすることが有効である。蜜蝋を落として巣礎を再使用する場合、蜜蝋を落とし易くすることができる。この場合、上記もしたように、フレーム単体の幅ｅは、０．５ｍｍ≦ｅ≦２ｍｍの範囲にすることが望ましい。セルの開口を適正にすることができる。
【００１４】
これにより、女王蜂は、ハニカムの大きさによって、雄と雌の働蜂を産み分ける習性があるので、働蜂用巣礎に対して働蜂を産卵し、雄蜂用巣礎に対して雄蜂を産卵するようになる。一般に、雄蜂は蜂蜜形成には不要なので、所定時期に取り除くが、その場合には、雄蜂用巣礎のみを選択して巣箱から抜き取る。そのため、雄蜂をまとめて取出すことができるので、極めて処理効率が良くなる。また、養蜂現場で現在深刻な蜂不足の一因となっているミツバチヘギイタダニは、雄に集中して寄生する傾向がある。巣礎のあちらこちらに雄用の大型ハニカムが形成されると、その部分で最初にダニが増殖し、その周辺にある働蜂用ハニカムにダニが蔓延する虞があるが、本発明では、仮にダニが発生した場合には、集中的にダニの発生がみられる雄蜂用巣礎のみを選択して巣箱から抜き取り処分すればよい。ダニをまとめて駆除することができ、巣箱全体へのダニ寄生を防止することができ、働蜂の成長保護を図ることができる。
【発明の効果】
【００１５】
本発明の養蜂用巣礎によれば、セルの底部を、蜜蝋の膜で形成して、できるだけ薄く形成できるようになるので、それだけ、蜜蝋の使用量を減らすことができる。また、セルの底部が薄い蜜蝋の膜になり、中心に向けて傾斜形成されるので、自然の巣に極めて近くなり、幼虫同士が表裏の間で幼虫の音や振動、熱を伝えて、互いに成長を促進させることができ、成長促進機能の向上を図ることができる。
【００１６】
また、本発明の養蜂方法によれば、上記の幼虫の成長促進機能の向上を図ることに加えて、働蜂用巣礎に対して雄蜂用巣礎を所定割合混在させたので、雄蜂用巣礎のみを選択して巣箱から抜き取ることができ、雄蜂の取り除き作業が容易になる。特に、ダニが発生した場合には、集中的にダニの発生がみられる雄蜂用巣礎のみを選択して巣箱から抜き取り処分できるので、ダニをまとめて駆除することができ、巣箱全体へのダニ寄生を防止することができ、働蜂の成長保護を図ることができる。
【図面の簡単な説明】
【００１７】
【図１】本発明の実施の形態に係る養蜂用巣礎を示す斜視図である。
【図２】本発明の実施の形態に係る養蜂用巣礎の試作例を示す部分正面図である。
【図３】本発明の実施の形態に係る養蜂用巣礎を示す部分拡大斜視図である。
【図４】本発明の実施の形態に係る養蜂用巣礎を示す部分拡大平面図である。
【図５】本発明の実施の形態に係る養蜂用巣礎を示す図４中Ａ−Ａ線断面図である。
【図６】本発明の実施の形態に係る養蜂用巣礎において蜜蝋を被覆したときの状態を示す図４中Ｂ−Ｂ線相当端面図である。
【図７】本発明の実施の形態に係る養蜂用巣礎を巣箱に収納する際の状態を示す斜視図である。
【図８】従来の養蜂用巣礎の一例を示し、（ａ）は平面図、（ｂ）は横断面図である。
【図９】従来の養蜂用巣礎の他の例を示す横断面図である。
【発明を実施するための形態】
【００１８】
以下、添付図面に基づいて、本発明の実施の形態に係る養蜂用巣礎及び養蜂方法について詳細に説明する。
図１乃至図６には、本発明の実施の形態に係る養蜂用巣礎Ｓを示している。実施の形態に係る養蜂用巣礎Ｓは、図７に示すように、巣箱Ｂにおいて、枠体Ｇに取り付けられて列設される。この養蜂用巣礎Ｓは、樹脂材料としてポリカーボネートを用いて型で一体成形され、本体部１と本体部１を囲繞する枠部２とからなる。本体部１と枠部２との境界には、枠体Ｇに取付けるための係止孔３が形成されている。尚、ポリカーボネートとしては、ビスフェノール無添加のものを適用することが望ましい。
【００１９】
本体部１は、一方面４及び他方面５を有した矩形板状に形成され、図４に示すように、一方面４側及び他方面５側に夫々平面から見て対角距離をＬとする正六角形の輪郭線６に沿う６つの辺部７を有したセル１０が多数連続形成され、一方面４側のセル１０の中心点Ｐ（Ａ）と他方面５側のセル１０の中心点Ｐ（Ｂ）とが対角方向に互いに（１／２）Ｌ位相をずらせて配置された関係で形成されている。対角距離Ｌは、後述の隣接するセル１０の中心点（Ｐ）間の距離Ｄにより定まる。
【００２０】
各セル１０は、図３乃至図６に示すように、正六角形の輪郭線６に沿って設けられ隣接するセル１０と共用されるとともに、６つの辺部７に対応する６つのフレーム単体１１からなる正六角形枠状のフレーム１２と、フレーム１２に連続する底部１３とを備えて構成されている。一方面４側のセル１０の底部１３は、他方面５側の３つのフレーム単体１１で構成され、他方面５側のセル１０の底部１３は、一方面４側の３つのフレーム単体１１で構成されており、各セル１０の底部１３に平面から見て菱形状になる３つの貫通孔１４が形成されている。即ち、本体部１は、一方面４側の正六角形枠状のセル１０の集合からなる板状のハニカム体と、他方面５側の正六角形状のセル１０の集合からなる板状のハニカム体とを、上記の位相をずらせて重ね合わせ、この重ね合わされたフレーム１２の角部同士を接合させて一体化されて形成されている。
【００２１】
また、図５に示すように、各セル１０の底部１３を構成するフレーム単体１１の裏面１５側は、セル１０の中心点Ｐ（Ａ）,Ｐ（Ｂ）に向けて下向きに傾斜形成されている。図５に示すように、このフレーム単体１１の裏面側の傾斜角度θは、１５°≦θ≦３５°、望ましくは、２０°≦θ≦３０°に設定されている。実施の形態では、θ＝２０°に設定されている。更に、図４に示すように、各セル１０の底部１３を構成するフレーム単体１１は、セル１１の中心点Ｐ（Ａ）,Ｐ（Ｂ）に向けて漸次細くなるように形成されている。セル１０の底部１３を構成するフレーム単体１１の基端部が太くなることから構造上の強度が向上する。
【００２２】
更にまた、図６に示すように、フレーム単体１１は、表面側に頂部を有する横断面山形状に形成されている。また、フレーム単体１１の頂部は正六角形の輪郭線６に沿い、図５に示すように、一方面４側の各セル１０を構成するフレーム単体１１の頂部を一方面４に対して面一に形成し、他方面５側の各セル１０を構成するフレーム単体１１の頂部を他方面５に対して面一に形成している。フレーム単体１１の裏面１５は、左右対称の横断面Ｖ字状に形成され、側縁が鋭角に形成されている。図６に示す断面図において、垂直軸Ｑに対する裏面１５の傾斜角度αは、８５°≧α≧５５°、望ましくは、７０°≧α≧６０°に設定されている。実施の形態では、α＝７０°に設定されている。また、フレーム単体１１の幅ｅは、０．５ｍｍ≦ｅ≦２ｍｍの範囲内にすることが望ましい。実施の形態では、幅ｅの最大が１ｍｍである。
【００２３】
そしてまた、養蜂用巣礎Ｓとしては、働蜂用巣礎Ｓ（Ｆ）と、雄蜂用巣礎Ｓ（Ｍ）との２種設けられる。働蜂用巣礎Ｓ（Ｆ）と雄蜂用巣礎Ｓ（Ｍ）とは、上記と同形状に形成されるが、隣接するセル１０の中心点（Ｐ）間の距離Ｄ（輪郭線６で現わされる正六角形のピッチに相当）が異なっている。働蜂用巣礎Ｓ（Ｆ）は、隣接するセル１０の中心点（Ｐ）間の距離Ｄが、４．７ｍｍ≦Ｄ＜５．４ｍｍに設定されている。望ましくは、４．９ｍｍ≦Ｄ≦５．２ｍｍである。実施の形態では、Ｄ＝５．０ｍｍに設定されている。一方、働蜂用巣礎Ｓ（Ｆ）は、隣接するセル１０の中心点（Ｐ）間の距離Ｄが、５．４ｍｍ≦Ｄ≦６．７ｍｍに設定されている。６．４ｍｍ≦Ｄ≦６．６ｍｍにすることが有効である。蜜蝋を落として巣礎を再使用する場合、蜜蝋を落とし易くすることができる。実施の形態では、Ｄ＝６．５ｍｍに設定されている。
【００２４】
この実施の形態に係る養蜂用巣礎Ｓを、使用するときは、図４に示すように、予め、この巣礎Ｓを溶融した蜜蝋Ｒに浸漬して引き上げ、徐冷して蜜蝋Ｒを固化させ、本体部１に蜜蝋Ｒを被覆する。この場合、各セル１０の底部１３に平面から見て３つの菱形状の貫通孔１４が形成されているので、蜜蝋Ｒはこの貫通孔１４に膜として張設される。貫通孔１４は菱形で大きいが、膜になるので、それだけ、蜜蝋Ｒの使用量を減らすことができる。特に、フレーム単体１１の裏面１５が左右対称の横断面Ｖ字状に形成されているので、フレーム単体１１の側縁が鋭角になることから、貫通孔１４に張設される蜜蝋Ｒの厚さをより一層薄く形成することができ、それだけ、蜜蝋Ｒの使用量を減らすことができる。
【００２５】
そして、この蜜蝋Ｒが被覆された巣礎Ｓは、図７に示すように、枠体Ｇに装着され、巣箱Ｂに、例えば、１０枚が列設されて収容される。この場合、１つの巣箱Ｂにおいて、働蜂用巣礎Ｓ（Ｆ）に対して雄蜂用巣礎Ｓ（Ｍ）を所定割合混在させている。例えば、１０枚のうち、８枚を働蜂用巣礎Ｓ（Ｆ）にし、２枚を雄蜂用巣礎Ｓ（Ｍ）にする。
【００２６】
従って、この状態で、養蜂を行うと、蜜蜂はこの巣礎Ｓに巣脾を形成して産卵し、幼虫を育成させる。この場合、フレーム単体１１は、表面側に頂部を有する横断面山形状に形成され、一方面４側の各セル１０を構成するフレーム単体１１の頂部は一方面４に対して面一に形成され、他方面５側の各セル１０を構成するフレーム単体１１の頂部は他方面５に対して面一に形成されているので、蜜蜂がその頂部から巣脾を作り易くなっている。そして、菱形形状の大きな貫通孔１４に蜜蝋Ｒの膜が形成され、底部１３のほとんどが蜜蝋Ｒの膜で形成されることから、極めて薄いごく自然のものに近い底部１３を形成する。そのため、幼虫同士が表裏の間で幼虫の音や振動、熱を伝えて、互いに成長を促進させることができる。更に、底部１３は中心に向けて傾斜しているので、自然の巣に極めて近くなり、この点でも、幼虫の成長の促進を図ることができる。
【００２７】
この場合、フレーム単体１１の裏面側の傾斜角度θを、１５°≦θ≦３５°、望ましくは、２０°≦θ≦３０°、実施の形態ではθ＝２０°に設定しているので、より一層自然の巣に近いものにすることができ、より一層成長促進機能の向上を図ることができる。また、フレーム単体１１の裏面１５が左右対称の横断面Ｖ字状に形成されているので、フレーム単体１１の側縁が鋭角になることから、貫通孔１４に張設される蜜蝋Ｒの厚さをより一層薄く形成することができ、より一層自然の巣に近くなり、この点でも、幼虫の成長の促進を図ることができる。また、フレーム単体１１はセル１０の中心点（Ｐ）に向けて漸次細くなるように形成されているので、中心点（Ｐ）に向けて細くなる分、蜜蝋の膜の面積が増えるので、より一層、自然の巣に近くすることができる。
【００２８】
また、この養蜂期間中においては、女王蜂は、ハニカムの大きさによって、雄と雌の働蜂を産み分ける習性があるので、働蜂用巣礎Ｓ（Ｆ）に対して働蜂を産卵し、雄蜂用巣礎Ｓ（Ｍ）に対して雄蜂を産卵するようになる。そして、一般に、雄蜂は蜂蜜形成には不要なので、所定時期に、雄蜂用巣礎Ｓ（Ｍ）のみを選択して巣箱Ｂから抜き取り、適宜処分する。この場合、雄蜂用巣礎Ｓ（Ｍ）を抜き取るだけで、まとめて雄蜂を処分することができ、極めて処分効率が良くなる。処分は、例えば、巣礎Ｓを熱湯に浸漬する。これにより、雄蜂の幼虫が死ぬ。また、蜜蝋Ｒが溶けることから、洗浄すれば再び使用できるようになる。この場合、樹脂材料として耐熱性、耐衝撃性に優れているポリカーボネートを用いているので、例えば熱湯等で熱処理しながら巣や蜜蝋Ｒを除去しても、損傷しにくく、再利用することができるようになる。また、雄蜂用巣礎Ｓ（Ｍ）のセル１０の中心点（Ｐ）間の距離Ｄを、６．４ｍｍ≦Ｄ≦６．６ｍｍにした場合には、開口が大きいので蜜蝋を落とし易くすることができる。
【００２９】
更に、養蜂現場で現在深刻な蜂不足の一因となっている、ミツバチヘギイタダニは雄に集中して寄生する傾向がある。巣礎Ｓのあちらこちらに雄用の大型ハニカムが形成されると、その部分で最初にダニが増殖し、その周辺にある働蜂用ハニカムにダニが蔓延する虞があるが、本養蜂方法では、仮にダニが発生した場合には、上記と同様に、集中的にダニの発生がみられる雄蜂用巣礎Ｓ（Ｍ）のみを選択して巣箱Ｂから抜き取り処分すればよい。ダニをまとめて駆除することができ、巣箱Ｂ全体へのダニ寄生を防止することができ、働蜂の成長保護を図ることができる。処分は、上記と同様に、例えば、巣礎Ｓを熱湯に浸漬する。これにより、雄蜂の幼虫がダニとともに死ぬ。また、蜜蝋Ｒが溶けることから、洗浄すれば再び使用できるようになる。この場合、樹脂材料として耐熱性、耐衝撃性に優れているポリカーボネートを用いているので、例えば熱湯等で熱処理しながら巣や蜜蝋Ｒを除去しても、損傷しにくく、再利用することができるようになる
【００３０】
尚、上記養蜂方法において、働蜂用巣礎Ｓ（Ｆ）に対する雄蜂用巣礎Ｓ（Ｍ）の割合は、上述した割合に限定されるものではなく、蜜蜂の性状や環境等に応じて適宜変更して差し支えない。
【符号の説明】
【００３１】
Ｓ  養蜂用巣礎
Ｓ（Ｆ）  働蜂用巣礎
Ｓ（Ｍ）  雄蜂用巣礎
Ｂ  巣箱
Ｇ  枠体
１  本体部
２  枠部
３  係止孔
４  一方面
５  他方面
６  輪郭線
Ｌ  対角距離
７  辺部
１０  セル
Ｐ  セル１０の中心点
Ｐ（Ａ）  一方面４側のセル１０の中心点
Ｐ（Ｂ）  他方面５側のセル１０の中心点
１１  フレーム単体
１２  フレーム
１３  底部
１４  貫通孔
１５  裏面
θ  傾斜角度
α  傾斜角度
ｅ  フレーム単体１１の幅範囲
Ｄ  セル１０の中心点（Ｐ）間の距離
Ｒ  蜜蝋
【要約】
【課題】  セルの底部をできるだけ薄く形成できるようにして、蜜蝋の使用量を減らし、幼虫の成長促進機能の向上を図る。
【解決手段】  一方面４側及び他方面５側に夫々平面から見て正六角形のセル１０が位相をずらせて配置された関係にあり、各セル１０を、正六角形の輪郭線６に沿って設けられ隣接するセル１０と共用される６つのフレーム単体１１からなるフレーム１２と、フレーム１１に連続する底部１３とを備えて構成し、一方面４側のセル１０の底部１３を他方面５側の３つのフレーム単体１１で構成し、他方面５側のセル１０の底部１２を一方面４側の３つのフレーム単体１１で構成し、各セル１０の底部１３に平面から見て菱形状になる３つの貫通孔１４を形成し、各セル１０の底部１３を構成するフレーム単体１１の裏面１５側をセル１０の中心点Ｐに向けて下向きに傾斜形成した。
【選択図】  図４【図１】
0005519817.tif 000002
【図３】
0005519817.tif 000003
【図４】
0005519817.tif 000004
【図５】
0005519817.tif 000005
【図６】
0005519817.tif 000006
【図７】
0005519817.tif 000007
【図８】
0005519817.tif 000008
【図９】
0005519817.tif 000009
【図２】
0005519817.tif 000010